(57)【特許請求の範囲】
【請求項１】
引出し扉部を有する貯蔵室が設けられた冷蔵庫本体と、
前記貯蔵室に収納される食品収納ケースと、
前記貯蔵室側壁と前記ケースのいずれか一方に設けられたレールと、
前記貯蔵室側壁と前記ケースのいずれか他方に設けられ、前記レールの内側を摺動し、中央に内側摺動部と、一端部にこの内側摺動部より径の大きい開口部とを有し、樹脂材料にて構成したローラーと、
前記貯蔵室側壁と前記ケースのいずれか他方に設けられ、貫通孔部を有し、樹脂材料にて構成したボスと、
このボスに前記ローラーをその反開口部側から挿入した後、前記ローラーの開口部側から前記ボスの貫通孔部に挿入され、貫通した先端が弾性力により前記ボスの貫通孔部より大きく開く係止部と、この係止部の反対側に設けられ、外径が前記内側摺動部の径より大きく前記開口部の径より小さく、先端が前記ローラーの開口部の外側端部より内側に位置するように前記ローラーの開口部内に収められた頭部を有し、樹脂材料にて構成したピンと、
を備え、前記ボスと前記ローラーとの間では、該ボスの軸方向に直交する垂直面との間の軸方向及び径方向に隙間を有することを特徴とする冷蔵庫。
【請求項２】
前記ローラーの内側摺動部の巾が前記ローラーの全厚み寸法の半分以上を有することを特徴とする請求項１記載の冷蔵庫。
【発明の詳細な説明】
【０００１】
【発明の属する技術分野】
この発明は、冷蔵庫の引き出し式の食品収納ケースに関するものである。
【０００２】
【従来の技術】
図２は従来の冷蔵庫の食品収納ケースを示す縦断面図である。図において、１は冷蔵庫本体、２は内箱３と外箱４との間に充填された断熱材、５、６は中仕切壁であり、引出し扉７を有する貯蔵室８を構成している。
貯蔵室８は２段式の食品収納ケースを備え、引き出し扉７にフレーム９が取付けられ、フレーム９の後端部には移動ローラー１０が設置されている。内箱３の側面には第一レール１１が設置されており第一レール１１の内側を移動ローラーが摺動し、内箱３の側面手前側には固定ローラー１２を有しフレーム９を支持しながら引き出し扉７が前後に開閉される。
【０００３】
フレーム９の上には下ケース１３が載置され、さらに上ケース１４が下ケース１３の上部に載置されている。上ケース１４の下部には凸部１４ａ、１４ｂが形成され、下ケース１３の上端部に載置され、かつ上ケース側面後部に移動ローラー１５が取付けられ下ケースとは独立して自在に前後する。
【０００４】
ローラー１５は内箱３の側面に設置された第二レール１６の内側を摺動する移動ローラーである。
【０００５】
図３は引き出し扉を引き出した状態を示す図である。図に示すように、下ケース１３は常に扉７と連動して前後に作動し、上ケース１４は扉７を引き出した状態で独立自在に前後に動かすことが出来る。
【０００６】
上ケース１４の下部には凸部１４ａが設けられているので、下ケース１３が前方に動き上ケース１４が奥にある場合にでも、凸１４ａが下ケース１３の上端部に載置されており上ケース１４が下に落ちるのを防止している。
【０００７】
図４は上ケースの移動ローラーの取付け図である。図に示すように、上ケース１４の側面後端部のケース内側に凹部１４ｃが設けられネジ板１７がセットされ、ケース外側には貫通孔１４ｄを有するボス１４ｅが形成され移動ローラー１５を介してネジ１８にて取付けられている。
【０００８】
図５は移動ローラーの取付け断面図である。図に示すように、ネジ１８はネジ頭１８ａの径より小さな径を有する座部１８ｂと、座部１８ｂの外周に回動自在に嵌合する内側摺動部１５ａと、内側摺動部１５ａに連設され内側摺動部１５ａより径の大きな開口部１５ｂとを有する移動ローラー１５を介して上ケース１４に形成したボス１４ｅの貫通孔１４ｄにネジ部１５ｃが貫通し上ケース１４の内側凹部１４ｃにセットされたネジ板１７に締結されている。
【０００９】
【発明が解決しようとする課題】
従来の冷蔵庫の食品収納ケースは以上のように構成されているので、座部１８ｂを有する特殊なネジ１８とネジ取付け用のネジ板１７が必要であり、締結にはドライバー等の工具を使用するため作業工数がかかっていた。
また、ネジ１８及びネジ板１７は冷蔵庫庫内に使用するので錆防止としてステンレス材を使用しており高価であり、ネジ板１７は端面のシャープエッジによる怪我防止としてバリ取り作業が必要であるなど製造価格が割高でもある。
そして、移動ローラー１５の回転する軸は金属製のネジ１８の座部１８ｂを使用しているので冷凍室など低温領域での使用環境では氷結し易く回転が出来なくなるなどの問題があった。
【００１０】
この発明は、かかる問題点を解決するためになされたもので、金属製のネジ及びネジ板を使用することなく従来と同等の機能を有し組立て作業性の良い安価な冷蔵庫の食品収納ケースを提供することを目的とする。
また、食品収納ケースにかかる荷重は食品収納ケースのボスに確実に掛かり安定して移動ローラーを回転摺動させて、氷結のしにくい品質の良い冷蔵庫の食品収納ケースを提供することを目的とする。
【００１１】
【課題を解決するための手段】
この発明に係る冷蔵庫は、引出し扉部を有する貯蔵室が設けられた冷蔵庫本体と、貯蔵室に収納される食品収納ケースと、貯蔵室側壁とケースのいずれか一方に設けられたレールと、貯蔵室側壁とケースのいずれか他方に設けられ、レールの内側を摺動し、中央に内側摺動部と、一端部にこの内側摺動部より径の大きい開口部とを有し、樹脂材料にて構成したローラーと、貯蔵室側壁とケースのいずれか他方に設けられ、貫通孔部を有し、樹脂材料にて構成したボスと、このボスに前記ローラーをその反開口部側から挿入した後、ローラーの開口部側からボスの貫通孔部に挿入され、貫通した先端が弾性力によりボスの貫通孔部より大きく開く係止部と、この係止部の反対側に設けられ、外径が内側摺動部の径より大きく開口部の径より小さく、先端がローラーの開口部の外側端部より内側に位置するようにローラーの開口部内に収められた頭部を有し、樹脂材料にて構成したピンとを備え、ボスとローラーとの間では、ボスの軸方向に直交する垂直面との間の軸方向及び径方向に隙間を有することを特徴とする。
【００１２】
また、ローラーの内側摺動部の巾がローラーの全厚み寸法の半分以上を有するものである。
【００１３】
【発明の実施の形態】
実施の形態１．
以下、この発明の実施の形態１を図について説明する。
図１は、この発明の実施の形態１による食品収納ケースの縦断面図である。図に示すように、樹脂成形した上ケース１９の側壁に形成されたコ字状凹部１９ａの外側面に中心部に貫通孔１９ｂを有する円柱状のボス１９ｃを形成し、ボス１９ｃの外周に内側摺動部１５ａを有するローラーとしての移動ローラー１５を回動自在に嵌合させている。
【００１４】
移動ローラー１５は、内側摺動部１５ａに連設され内側摺動部１５ａより径の大きな開口部１５ｂを有しており、先端が弾性力によりボス１９ｃの貫通孔１９ｂより大きく開く係止部２０ａを有する樹脂成形したピン２０にてローラーの開口部１５ｂ側から貫通孔１９ｂに挿入し、上ケース１９のコ字状凹部１９ａの内壁に係止される。
【００１５】
そして移動ローラー１５は、ピン２０の係止部２０ａの反対側に設けられた外径が移動ローラー１５の内側摺動部１５ａの径より大きくかつ開口部１５ｂの径より小さいピン２０の頭部２０ｂにてはずれることなく保持されている。
【００１６】
上ケース１９、移動ローラー１５、ピン２０は共に樹脂成形されており、冷凍室等の低温領域での使用に対しても氷結しにくく動作がスムーズである。
また、ボス１９ｃと移動ローラー１５との間では軸方向及び径方向に隙間を設けてあるので同様に動作がスムーズである。
ピン２０の頭部２０ｂは、移動ローラー１５の開口部１５ｂ内より吐出しないように収められているので上ケース１９の動きに対しピン２０が吐出して内箱に設けられたレールと干渉する等の支障はない。
【００１７】
さらに移動ローラー１５の内側摺動部１５ａの巾Ｂが、移動ローラー１５の全厚み寸法Ａの半分以上（Ｂ＞Ａ／２）になるようにしてあり、移動ローラー１５が受ける荷重を移動ローラー１５の重心で受ける事が出来、確実に荷重をボス１９ｃ（上ケース１９本体側）に伝えて支える事が出来るので安定して移動ローラー１５を回転摺動させる事が出来る。
【００１８】
上述の実施の形態によれば、ネジ及びネジ板を使用することなく従来と同等の機能を有し組立て作業性の良い安価な食品収納ケースを提供することが出来る。また、移動ローラー１５の内側摺動部１５ａの巾を移動ローラー１５の厚みの半分以上有するようにしているので、上ケース１９の荷重は上ケース１９のボス１９ｃに確実に掛かり安定して移動ローラー１５を回転摺動させる事が出来、氷結のしにくい品質の良いものが提供できる。
【００１９】
実施の形態２．
なお上述の実施の形態では、上ケース１９の側面に移動ローラー１５を設け、内箱側面にレールを構成させているが、上ケース側１９にレールを形成して、内箱側にローラーを設けて構成させても良い。
【００２０】
【発明の効果】
この発明に係る冷蔵庫は、引出し扉部を有する貯蔵室が設けられた冷蔵庫本体と、貯蔵室に収納される食品収納ケースと、貯蔵室側壁とケースのいずれか一方に設けられたレールと、貯蔵室側壁とケースのいずれか他方に設けられ、レールの内側を摺動し、中央に内側摺動部と、一端部にこの内側摺動部より径の大きい開口部とを有し、樹脂材料にて構成したローラーと、貯蔵室側壁とケースのいずれか他方に設けられ、貫通孔部を有し、樹脂材料にて構成したボスと、このボスに前記ローラーをその反開口部側から挿入した後、ローラーの開口部側からボスの貫通孔部に挿入され、貫通した先端が弾性力によりボスの貫通孔部より大きく開く係止部と、この係止部の反対側に設けられ、外径が内側摺動部の径より大きく開口部の径より小さく、先端がローラーの開口部の外側端部より内側に位置するようにローラーの開口部内に収められた頭部を有し、樹脂材料にて構成したピンとを備え、ボスとローラーとの間では、ボスの軸方向に直交する垂直面との間の軸方向及び径方向に隙間を有する構成したので、ネジ及びネジ板を使用することなく従来と同等の機能を有し組立て作業性の良い安価な製品を提供することが出来る。
【００２１】
また、ローラーの内側摺動部の巾がローラーの全厚み寸法の半分以上を有するものであるので、荷重はボスに確実に掛かり安定してローラーを回転摺動させる事が出来、氷結のしにくい品質の良いものが提供できる。
【図面の簡単な説明】
【図１】この発明の実施の形態１による冷蔵庫の食品収納ケースの縦断面図である。
【図２】従来の冷蔵庫の食品収納ケースを示す縦断面図である。
【図３】従来の冷蔵庫の食品収納ケースの扉を引出した状態を示す図である。
【図４】従来の冷蔵庫の食品収納ケースの移動ローラーの取付け図である。
【図５】従来の冷蔵庫の食品収納ケースの移動ローラーの取付け断面図である。
【符号の説明】
１５  移動ローラー、１５ａ  内側摺動部、１５ｂ  開口部、１９  上ケース、１９ａ  コ字状凹部、１９ｂ  貫通孔部、１９ｃ  ボス、２０  ピン、２０ａ係止部、２０ｂ  頭部。
【図１】
0003592925.tif 000002
【図２】
0003592925.tif 000003
【図３】
0003592925.tif 000004
【図４】
0003592925.tif 000005
【図５】
0003592925.tif 000006